【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
記録媒体に記録されたデータを読み取る読取部と、
前記読取部が読み取ったデータを記憶する記憶部と、
前記記憶部が記憶したデータを読み出して再生する再生部と、
予め定められた基準回転速度および基準回転方向で駆動部により回転される円盤部と、
前記円盤部上にこれとともに回転可能に設けられ、前記再生部が所望のデータ再生を行うよう、ユーザが所望の回転方向および回転速度で回転操作可能に構成された操作円盤部と、
前記操作円盤部の回転方向および回転速度に応じたパルス信号を出力するセンサ部と、
前記センサ部からのパルス信号に基づいて前記操作円盤部の回転方向および回転速度を判別し、前記操作円盤部が、予め定められた時間以上停止している状態から、前記基準回転方向へ回転を始めたと判別した場合に、前記円盤部を一時的に前記基準回転速度よりも高速で回転させるよう前記駆動部を制御する制御部とを備えることを特徴とする再生装置。
【請求項２】
前記制御部は、前記円盤部が高速回転されるように、前記駆動部に所定電圧値のパルス電力が印加されるよう制御することを特徴とする請求項１に記載の再生装置。
【請求項３】
予め定められた基準回転速度および基準回転方向で駆動部により回転される円盤部と、
前記円盤部上にこれとともに回転可能に設けられ、外部に接続されたデータ再生装置が所望のデータ再生を行うよう、ユーザが所望の回転方向および回転速度で回転操作可能に構成された操作円盤部と、
前記操作円盤部の回転方向および回転速度に応じたパルス信号を出力するセンサ部と、
前記センサ部からのパルス信号に基づいて前記操作円盤部の回転方向および回転速度を判別し、前記操作円盤部が、予め定められた時間以上停止した後、前記基準回転方向へ回転したと判別した場合に、前記円盤部を一時的に前記基準回転速度よりも高速で回転させるよう前記駆動部を制御する制御部とを備えることを特徴とする再生用操作装置。
【請求項４】
記録媒体に記録されたデータを読み取る読取部と、前記再生部が読み取ったデータを記憶する記憶部と、前記記憶部が記憶したデータを読み出して再生する再生部と、予め定められた基準回転速度および基準回転方向で駆動部により回転される円盤部と、前記円盤部上にこれとともに回転可能に設けられ、前記再生部が所望のデータ再生を行うよう、ユーザが所望の回転方向および回転速度で回転操作可能に構成された操作円盤部と、前記操作円盤部の回転方向および回転速度に応じたパルス信号を出力するセンサ部とを備える再生装置を用いる再生方法であって、
前記センサ部からのパルス信号に基づいて前記操作円盤部の回転方向および回転速度を判別し、前記操作円盤部が、予め定められた時間以上停止した後、前記基準回転方向へ回転したと判別した場合に、前記円盤部を一時的に前記基準回転速度よりも高速で回転させるよう前記駆動部を制御することを特徴とする再生方法。
【手続補正２】
【補正対象書類名】明細書
【補正対象項目名】００１４
【補正方法】変更
【補正の内容】
【００１４】
上記目的を達成するため、本発明の第１の観点に係る再生装置は、
記録媒体に記録されたデータを読み取る読取部と、
前記読取部が読み取ったデータを記憶する記憶部と、
前記記憶部が記憶したデータを読み出して再生する再生部と、
予め定められた基準回転速度および基準回転方向で駆動部により回転される円盤部と、
前記円盤部上にこれとともに回転可能に設けられ、前記再生部が所望のデータ再生を行うよう、ユーザが所望の回転方向および回転速度で回転操作可能に構成された操作円盤部と、
前記操作円盤部の回転方向および回転速度に応じたパルス信号を出力するセンサ部と、
前記センサ部からのパルス信号に基づいて前記操作円盤部の回転方向および回転速度を判別し、前記操作円盤部が、予め定められた時間以上停止している状態から、前記基準回転方向へ回転を始めたと判別した場合に、前記円盤部を一時的に前記基準回転速度よりも高速で回転させるよう前記駆動部を制御する制御部とを備える。
【手続補正３】
【補正対象書類名】明細書
【補正対象項目名】００１５
【補正方法】変更
【補正の内容】
【００１５】
上記構成の再生装置において、前記制御部は、例えば、前記円盤部が高速回転されるように、前記駆動部に所定電圧値のパルス電力が印加されるよう制御する。
【手続補正４】
【補正対象書類名】明細書
【補正対象項目名】００１６
【補正方法】変更
【補正の内容】
【００１６】
上記目的を達成するため、本発明の第２の観点に係る再生用操作装置は、
予め定められた基準回転速度および基準回転方向で駆動部により回転される円盤部と、
前記円盤部上にこれとともに回転可能に設けられ、外部に接続されたデータ再生装置が所望のデータ再生を行うよう、ユーザが所望の回転方向および回転速度で回転操作可能に構成された操作円盤部と、
前記操作円盤部の回転方向および回転速度に応じたパルス信号を出力するセンサ部と、
前記センサ部からのパルス信号に基づいて前記操作円盤部の回転方向および回転速度を判別し、前記操作円盤部が、予め定められた時間以上停止した後、前記基準回転方向へ回転したと判別した場合に、前記円盤部を一時的に前記基準回転速度よりも高速で回転させるよう前記駆動部を制御する制御部とを備える。
【手続補正５】
【補正対象書類名】明細書
【補正対象項目名】００１７
【補正方法】変更
【補正の内容】
【００１７】
上記目的を達成するため、本発明の第３の観点に係る再生方法は、
記録媒体に記録されたデータを読み取る読取部と、前記再生部が読み取ったデータを記憶する記憶部と、前記記憶部が記憶したデータを読み出して再生する再生部と、予め定められた基準回転速度および基準回転方向で駆動部により回転される円盤部と、前記円盤部上にこれとともに回転可能に設けられ、前記再生部が所望のデータ再生を行うよう、ユーザが所望の回転方向および回転速度で回転操作可能に構成された操作円盤部と、前記操作円盤部の回転方向および回転速度に応じたパルス信号を出力するセンサ部とを備える再生装置を用いる再生方法であって、
前記センサ部からのパルス信号に基づいて前記操作円盤部の回転方向および回転速度を判別し、前記操作円盤部が、予め定められた時間以上停止した後、前記基準回転方向へ回転したと判別した場合に、前記円盤部を一時的に前記基準回転速度よりも高速で回転させるよう駆動部を制御する。
【手続補正６】
【補正対象書類名】明細書
【補正対象項目名】００３０
【補正方法】変更
【補正の内容】
【００３０】
モータ２１は、基準回転方向（例えば、時計回り）で、基準回転速度（例えば、アナログレコードプレーヤの再生時におけるターンテーブルの角速度）で、円盤部２５を回転させる。円盤部２５の基準回転速度は、例えば、毎分５４回転とされる。
【手続補正７】
【補正対象書類名】明細書
【補正対象項目名】００３５
【補正方法】変更
【補正の内容】
【００３５】
操作円盤部２８は、円盤部２５とともに回転可能である一方で、ユーザの回転操作時にはシート部２７上を摺動して独立に回転可能に構成されている。すなわち、操作円盤部２８はシート部２７の適度の抵抗により円盤部２５と一体に回転可能である一方で、ユーザの操作時にはシート部２７上を摺動して回転操作自在である。
【手続補正８】
【補正対象書類名】明細書
【補正対象項目名】００３８
【補正方法】変更
【補正の内容】
【００３８】
第２光センサ部３２は、図示しない２つの光センサから構成され、スリット部２６のスリットを検出できる位置にパネル３０に固定されている。第２光センサ部３２の光センサは、円盤部２５のスリット部２６のスリットを検出し、円盤部２５の回転状態に応じた第２パルス信号を発生し制御部１２へ出力する。制御部１２は、上記した第１パルス信号と同様に、第２パルス信号に基づいて円盤部２５の回転状態を判別し、円盤部２５の回転速度を所定の回転速度に保つようにモータ２１を制御する。
【手続補正９】
【補正対象書類名】明細書
【補正対象項目名】００３９
【補正方法】変更
【補正の内容】
【００３９】
図１に戻り、電力印加部１５は、モータ２１に予め定めた電圧値の電力を予め定めた時間印加する。制御部１２は、操作円盤部２８が所定時間以上停止している状態で、基準回転方向への回転を始めたと判別したとき、電力印加部１５がモータ２１に所定電力を印加するよう制御する。
【手続補正１０】
【補正対象書類名】明細書
【補正対象項目名】００４０
【補正方法】変更
【補正の内容】
【００４０】
例えば、制御部１２は、第１光センサ部３１から一定時間（例えば、０．４msec、２０msec）第１パルス信号が入力されない状態において、操作円盤部２８の基準回転方向への回転を示す第１パルス信号を受け取ったとき、操作円盤部２８が回転し始めたと判別し、電力印加部１５へ印加指示信号を出力する。電力印加部１５は、制御部１２から印加指示信号を受け取ると、モータ２１へ予め定めた電圧値（例えば、８V）を予め定めた時間（例えば、０．２msec、２０msec）現在印加されている電圧値に重畳して印加する。このとき、円盤部２５は加速され、一時的に基準回転速度よりも高速で回転する。これにより、後述するように、操作円盤部２８が停止状態から基準回転速度に達するまでに要する時間は実質的に短縮される。
【手続補正１１】
【補正対象書類名】明細書
【補正対象項目名】００４６
【補正方法】変更
【補正の内容】
【００４６】
ユーザは、手で基準回転速度及び基準回転方向で回転している操作円盤部２８を逆方向（反時計回り）に回転させる。このとき、円盤部２５は、シート部２７の摩擦係数が小さいため、操作円盤部２８の回転速度及び回転方向に影響されることなく、基準回転速度及び基準回転方向で回転しつづける。制御部１２は、第１光センサ部３１から一定時間内に入力された第１パルス信号のパルス数から操作円盤部２８の回転速度を判別する。また、制御部１２は、上述したように２つの第1パルス信号の位相差から操作円盤部２８の回転方向を判別する。制御部１２は、メモリ制御部７を介して、判別した回転速度及び回転方向に応じて、RAM８からのオーディオデータの読み出し速度及び順序を制御する。
【手続補正１２】
【補正対象書類名】明細書
【補正対象項目名】００４７
【補正方法】変更
【補正の内容】
【００４７】
また、逆に、ユーザが操作円盤部２８を正方向（基準回転方向）に基準回転速度よりも速い速度で回転させた場合には、制御部１２は、その回転速度を判別し、これに応じた速度でRAM８からオーディオデータを読み出すようメモリ制御部７を制御する。
【手続補正１３】
【補正対象書類名】明細書
【補正対象項目名】００５６
【補正方法】変更
【補正の内容】
【００５６】
図３に示すように、ユーザがスクラッチ再生を終了した時点（Ａ）から、ユーザの手が実際に操作円盤部２８から離れ、円盤部２５の回転に追従して回転を開始するまで、操作円盤部２８は一旦停止しており、この間第1光センサ部３１は第1パルス信号を発生しない。その後、停止していた操作円盤部２８は、シート部２７の上面を摺動しながら、基準回転方向へ回転し始める。制御部１２は、第１光センサ部３１から例えば４０msec第１パルス信号を受け取っていない状態で操作円盤部２８の基準回転方向への回転を示す第１パルス信号を受け取ると、電力印加部１５へ印加指示信号を出力する。電力印加部１５は、モータ２１へ２０msecの間、例えば、８Vの電圧値の電力を印加する。
【手続補正１４】
【補正対象書類名】明細書
【補正対象項目名】００５８
【補正方法】変更
【補正の内容】
【００５８】
操作円盤部２８の回転速度が基準回転速度に到達すると、第１光センサ部３１は、第２光センサ部３２が出力する第２パルス信号と同じ基準速度及び基準回転方向を示す間隔の第１パルス信号を出力する。制御部１２は第1パルス信号から、操作円盤部２８が基準回転方向および基準回転速度で回転している判別する。例えば、制御部２１は、第１パルス信号及び第２パルス信号を比較し、第１パルス信号が第２パルス信号と同一の間隔で入力されると、操作円盤部２８が基準速度及び基準回転方向で回転していると判別する。このとき、制御部１２は、図３に示すＢ点において通常再生を行うようメモリ制御部７を制御する。この実施形態によれば、ユーザが特殊再生を終了したＡ点から通常再生が再開されるＢ点までの時間トｔは、図６に示す、円盤部２５が加速回転されない場合の時間トｔ0より実質的に短いものとなる。
【手続補正１５】
【補正対象書類名】明細書
【補正対象項目名】００６２
【補正方法】変更
【補正の内容】
【００６２】
本発明は、上記実施の形態に限られず、種々の変更が可能である。
上記実施の形態では、操作円盤部２８が停止し、例えば４０msec以上第1パルス信号が生成されずかつ正方向への回転を検出した場合にモータ２１に例えば８Vの電圧値の電力を例えば２０msecの間印加するものとした。しかし、時間、電圧は上記例に限られず、用いる基準回転速度、円盤部２５等の材質、重さ等に応じて適宜選択可能である。
【手続補正１６】
【補正対象書類名】明細書
【補正対象項目名】００６４
【補正方法】変更
【補正の内容】
【００６４】
また、制御部１２が電力印加部１５に電力印加を指示するタイミングは、上記例に限られない。例えば、制御部１２は、特殊再生から通常再生までの操作円盤部２８の回転状態を示す第1パルス信号の標準的な出力パターンや位相変化パターンを記憶しており、第1光センサ３１から受け取った第1パルス信号のパターンが、記憶したパターンと一致した場合に電力印加するようにしてもよい。